(57)【要約】【課題】熱帯魚などを飼う水槽、または溜池や養殖魚用池等の水の汚れを除去するジェットポンプを利用した効率の良い汚水浄化装置を提供する。【解決手段】ジェットポンプ１のボデーに長手方向に伸びる横孔１ａを穿設し、この横穴１ａに下方から連結する傾斜孔１ｂを連通させ、横孔１ａの一方開口に高圧な駆動水を供給するジェットノズル２を装着し、他方の吐出側の開口に浄化装置３を装着すると共に、前記横穴１ａに連結する傾斜孔１ｂから水槽内の汚れた水を吸引するようにした。また前記傾斜孔１ｂに加圧したエアまたはガスを細粒にして噴出させるナノバルブ発生装置５を連結した。そしてこのナノバルブ発生装置５はシラス多孔質ガラス１６を組み込んだ噴出装置とした。【選択図】図１
0003125052.tif 000002
【実用新案登録請求の範囲】
【請求項１】
ジェットポンプ（１）のボデーに長手方向に伸びる横孔（１ａ）を穿設し、この横穴（１ａ）に下方から連結する傾斜孔（１ｂ）を連通させ、横孔（１ａ）の一方開口に高圧な駆動水を供給するジェットノズル（２）を装着し、他方の吐出側の開口に浄化装置（３）を装着すると共に、前記横穴（１ａ）に連結する傾斜孔（１ｂ）の先端開口（４）から水槽内の汚れた水を吸引するようにしたジェットポンプ式水槽用浄化装置。
【請求項２】
前記浄化装置（３）が、遠赤外線セラミック製の螺旋形スクリュ−と、該螺旋形スクリュ−を収納する収納管である請求項１記載の水槽用浄化装置。
【請求項３】
前記遠赤外線セラミック製の螺旋形スクリュ−を同心で直径を違える浄化スクリュー（１１）と、拡散スクリュー（１２）とを接続して構成した請求項３記載の水槽用浄化装置。
【請求項４】
前記傾斜孔（１ｂ）に加圧したエアまたはガスを細粒にして噴出させるナノバルブ発生装置（５）を連結した請求項１記載の水槽用浄化装置。
【請求項５】
前記ナノバルブ発生装置（５）が、シラス多孔質ガラス（１６）を組み込んだ噴出装置である請求項４記載の水槽用浄化装置。
【考案の詳細な説明】
【技術分野】
【０００１】
本考案は、熱帯魚などを飼う水槽、または養殖魚用池、溜池等の水の汚れを除去する浄化装置に関するものである。
【背景技術】
【０００２】
従来の熱帯魚などを飼う水槽、または養殖魚用池、溜池等の浄化装置は、水槽液面付近にフィルターを固定し、水ポンプで水を吸上げてゴミを捕集するものが主で水の汚れを防止するには不十分であった。また水の汚れ防止に用いる活水材は水槽の底面に散布するものが主で、停滞した水との接触のため水槽全体の水とは接触できない欠点があった。
【０００３】
かかる欠点を解消するものとしてエアリフトと濾過器を一体化したものが提案されている。特許文献１、２のものは水槽上面に浮かせる方式のものであり、特許文献３は底面に設置するタイプである。そしていずれもエアストーンによる気泡の上昇を利用して水を誘導し、汚水が濾過材内を通るようにしたものである。本考案は吸引管と吐出管とをＬ型に連結しジェット流を生じさせる流送装置、すなわちジェットポンプを利用したものであり、このジェットポンプの基本構造に関しては、特許文献４、５に開示されている。また本考案に用いるシラス多孔質ガラス（ＳＰＧ）に関しては、特許文献６に開示されている。
【特許文献１】特開２００５―５８２０１号公報
【特許文献２】特開平１１―７５６１２号公報
【特許文献３】特開２００１―２５８４２２号公報
【特許文献４】特開昭５７―３８２２２号公報
【特許文献５】特開昭５９―１５７００号公報
【特許文献６】特開２００６―１１０５３５号公報
【考案の開示】
【考案が解決しようとする課題】
【０００４】
本考案は、熱帯魚などを飼う水槽、または養殖魚用池、溜池等の水の汚れを除去するジェットポンプを利用した効率の良い浄化装置を提供する。
【課題を解決するための手段】
【０００５】
本考案の水槽用浄化装置は、ジェットポンプ１のボデーに長手方向に伸びる横孔１ａを穿設し、この横穴１ａに下方から連結する傾斜孔１ｂを連通させ、横孔１ａの一方開口に高圧な駆動水を供給するジェットノズル２を装着し、他方の吐出側の開口に浄化装置３を装着すると共に、前記横穴１ａに連結する傾斜孔１ｂの先端開口４から水槽内の汚れた水を吸引するようにしたものであり、前記浄化装置３を遠赤外線セラミック製の螺旋形スクリュ−と、該螺旋形スクリュ−を収納する収納管とで構成し、また前記遠赤外線セラミック製の螺旋形スクリュ−を同心で直径を違える浄化スクリュー１１と、拡散スクリュー１２とを接続して構成した。
【０００６】
また前記傾斜孔１ｂに加圧したエアまたはガスを細粒にして噴出させるナノバルブ発生装置５を連結した。そしてこのナノバルブ発生装置５がシラス多孔質ガラス１６を組み込んだ噴出装置であること等を特徴としている。
【考案の効果】
【０００７】
本考案によれば、ジェットポンプを利用したので高速な効率の良い汚水浄化作業が実施できる。また吸引する汚水に細かなエアまたはガスのナノバルブを吹き込み、螺旋形遠赤外線スクリューで攪拌するので効果的な浄化作用が実施できる。
【考案を実施するための最良の形態】
【０００８】
本考案の水槽用浄化装置は、あらゆる流体または固形物を流送する気液混合の高水流ジェットポンプを利用したものである。すなわち水中内に沈めて使用するジェットポンプのボデーに長手方向に伸びる横孔を穿設し、この横穴の略中央に下方から連結する傾斜孔を連通させる。そして横孔の一方開口にジェットノズルを装着し、他方の吐出側に遠赤外線セラミック製の螺旋形スクリューで構成する浄化装置を装着する。そして高圧な駆動水をジェットノズルに導入し、横穴の中ほどで連結する傾斜孔から水槽内の汚れた水を取り込むようにした。
【実施例１】
【０００９】
以下、本考案の好適なひとつの実施例を図面に基づき説明する。図１は本考案のジェットポンプを利用した水槽浄化装置の断面図である。本装置は水中内に沈めて使用するジェットポンプ１のボデーに長手方向に伸びる横孔１ａを穿設し、この横穴１ａの略中央に下方から連結する傾斜孔１ｂを連通させ、そして横孔１ａの一方開口には図示しないポンプから高圧な駆動水を導入するジェットノズル２を装着し、他方の吐出側の開口には遠赤外線セラミック製の螺旋形スクリューで構成する浄化装置３を装着する。またこの横穴１ａの中ほどで連結する傾斜孔１ｂの先端開口４には水槽内の汚れた水を取り込む吸引ノズルを装着する。また横穴１ａには加圧したエアまたはガスを細粒にして供給するナノバルブ発生装置５を連結してある。
【００１０】
前記ジェットポンプ１は、図示しないポンプから高圧な駆動水を導入して先細りのジェットノズル２から高圧水を噴出させるようになっており、ノズル２の先端付近に特許文献４に開示する負圧調節口６を設ける。この負圧調節口６へ水面に浮かべたフロート９に取り付けた空気吸込み口１０からパイプ８、空気導入量を調節する調節弁７を介して空気を取り込み、ノズル２周辺のジェット流で生じる負圧を調整するようにしてある。
【００１１】
ジェットポンプ１の吐出側には遠赤外線セラミック製の螺旋形スクリュ−からなる浄化装置３を取り付けて水と空気およびナノバブルを撹拌しながら遠赤外線セラミックからなる浄化材表面と接触させて浄化し水中に還流するようにする。この遠赤外線セラミック製の浄化装置は、遠赤外線セラミック製の浄化スクリュー１１と拡散スクリュー１２で構成されている。
【００１２】
遠赤外線セラミック製の浄化スクリュー１１は、複数のスクリューを連続させて長手方向に伸ばし螺旋形に形成したもので遠赤外線セラミック製の筒状ケース１３内に固定し収容されている。また前記浄化スクリュー１１より口径をやや大きくした拡散スクリュー１２は、同様に遠赤外線セラミック製であって、複数のスクリューを連続させて螺旋形に形成したものである。そしてこの拡散スクリュー１２は、前記浄化スクリュー１１を収容する筒状ケース１３の端部に装着した遠赤外線セラミック製の筒状拡散ケース１４内に配設されている。
【００１３】
本装置は、ジェットノズル２から噴出するジェット流により生ずる流速に合わせて傾斜孔１ｂから水槽内の汚水が取り込まれるようになっている。そしてこの傾斜孔１ｂの側壁に開口１５を設け、この開口１５に連結するナノバブル発生装置５内に配設したシラス多孔質ガラスＳＰＧ１６（特許文献６参照）を介して加圧されたエアまたはガスをホース１７から導入するようにしてある。そして多孔質ガラスＳＰＧ１６から生じるエアまたはガスのナノバブルは連通穴１５から横穴１ｂ内に噴出し、吸引ノズル４から取り込む水槽内の汚水と混合した状態でジェット流を更に加速させながら浄化装置３に向けて送り込むようになっている。
【００１４】
本装置を使用し水槽内の水の浄化を行う場合は、図示しないポンプからホースを介してジェットポンプ1に駆動水を供給し、横穴１ａ内にジェット流を生じさせる。このジェット流で水槽内の汚水は傾斜孔１ｂから横穴１ａ内に導入する。また同時に加圧されたエアまたはガスをナノバルブ発生装置５に供給してシラス多孔質ガラスＳＰＧ１６を介して生じるナノバルブを傾斜孔１ｂの側壁開口１５より噴出させる。そして導入した水槽内汚水とナノバルブが混合した状態で横穴１ａ内に導入した汚水を他方開口に装着した浄化装置３に送り込む。
【００１５】
浄化装置３に内に導入された汚水は、浄化スクリュー１３および拡散スクリュー１２で汚水と空気およびナノバブルが撹拌しながら浄化材表面と接触しながらまた水槽内に浄化されて還流する。拡散スクリュー１３は浄化スクリュー１２からの流体を拡散させて排出することにより拡散ケース１４入口部から浄化ケース１３から排出された流体以外の周辺の水を吸込んで駆動水より多くの水を還流することができる。
【００１６】
浄化材として用いる遠赤外線セラミック製の筒およびスクリューは、セラミック原料で筒およびスクリューに成型して乾燥させ、低温で一回目の焼成を行う。その後、遠赤外線鉱石を調合した釉薬を表面に積層して一体化させて、乾燥後に高温で２回目の焼成により製造する。
【産業上の利用可能性】
【００１７】
本装置は、観賞用水槽などに用いるものであるが本装置を大型化すれば水槽以外の溜池、養殖魚池などでも浄化用として使用できる。
【図面の簡単な説明】
【００１８】
【図１】本考案浄化装置の断面図である。
【符号の説明】
【００１９】
１  ジェットポンプ
１ａ  横孔１ａ
１ｂ  傾斜孔
２  ジェットノズル
３  浄化装置
４  傾斜孔の先端開口
５  ナノバルブ発生装置
６  負圧調節口
７  調節弁
８  パイプ
９  フロート
１０  空気吸込み口
１１  浄化スクリュー
１２  拡散スクリュー
１３  筒状ケース
１４  筒状拡散ケース
１５  傾斜孔１ｂへの連通穴
１６  シラス多孔質ガラス
１７  パイプ
【図１】
0003125052.tif 000003